(57)【要約】【課題】使用者が直ちに紫外線硬化材料硬化装置の状態を把握できる紫外線硬化材料硬化装置を提供する。【解決手段】ハウジング３、紫外線照射部４１と、紫外線照射制御スイッチと、複数の照射時間に対応する制御状態を有するタイマーと、電気スイッチと、を有する紫外線照射モジュール４、及び、複数の色相の光を発することができる発光部５２と、発光部５２が発する光をハウジング３の外側へ案内できる導光部５１と、前記照射時間に応じて発光部５２に異なる色相の光を発するように制御する表示制御装置と、を有する表示モジュール５とを具えており、タイマーは、１つの前記照射時間を選択すると、照射信号を紫外線照射制御スイッチに、また、前記照射時間に対応する状態信号を表示制御装置に送信し、前記照射時間が終わると、紫外線照射制御スイッチに停止信号を送信するように構成されている。【選択図】図３
0003206472.tif 000002
【実用新案登録請求の範囲】
【請求項１】
第１の方向に向かって開けられている開口を有するように略皿状に形成され、前記開口の内側に照射空間が画成されているハウジング本体部と、前記ハウジング本体部の前記開口の内側に配置されていると共に、前記照射空間に面する光反射面を有するように配置構成されている光反射手段と、を有するように構成されているハウジングと、
前記照射空間内に配置される照射対象に向かって紫外線を放射することができるように前記光反射手段に設置されている紫外線照射部と、前記紫外線照射部のＯＮ／ＯＦＦを制御できるように構成されている紫外線照射制御スイッチと、前記ハウジング本体部の前記照射空間の反対側にある外表面に露出し、それぞれ異なる複数の照射時間に対応する制御状態が使用者により切り替えることができ、且つ前記制御状態に対応する状態信号を出力することができるように配置構成されているタイマーと、前記ハウジングに設置されているセンサーを有し、照射対象が前記照射空間に進入したことを前記センサーが感知すると、前記紫外線照射制御スイッチと前記タイマーとに電気を流して起動させるように構成されている電気スイッチと、を有するように構成され、前記ハウジングに設置されている紫外線照射モジュールと、を具えている紫外線硬化材料硬化装置であって、
複数の色相の光を発することができるように構成されている発光部と、前記発光部が発する光を前記ハウジングの外側へ案内できるように、前記ハウジング本体部に配置構成されている導光部と、前記タイマーと前記発光部と前記電気スイッチとに電気的に接続し、前記タイマーからの前記状態信号に応じて前記発光部が前記状態信号に対応する異なる色相の光を発するように前記発光部を制御する表示制御装置と、を有するように構成されている表示モジュールを更に具えており、
前記タイマーは、各前記照射時間にそれぞれ対応する複数の時間設定ボタンを有し、いずれか１つの前記時間設定ボタンが押されると、照射信号を前記紫外線照射制御スイッチに、また、前記押された時間設定ボタンが対応する前記照射時間に対応する前記状態信号を前記表示制御装置に送信すると共に、前記照射時間を照射残り時間と設定してから前記照射残り時間の計時を始め、前記照射残り時間が満了すると、前記紫外線照射制御スイッチに停止信号を送信するように構成され、
前記紫外線照射制御スイッチは、前記タイマーから前記照射信号を受信すると、前記紫外線照射部に紫外線を照射させ、前記停止信号を受信すると、前記紫外線照射部に紫外線の照射を停止させるように構成されていることを特徴とする紫外線硬化材料硬化装置。
【請求項２】
前記電気スイッチは、照射対象が前記照射空間に進入したことを前記センサーが感知すると、前記表示モジュールに電気を流して起動させると共に、前記表示モジュールの前記表示制御装置に初期信号を送信するように構成され、
前記表示制御装置は、前記初期信号を受信すると、前記発光部に前記初期信号に対応する所定の色相の光を発させるように構成されていることを特徴とする請求項１に記載の紫外線硬化材料硬化装置。
【請求項３】
前記タイマーは、前記複数の照射時間における最大の一つより小である複数の異なるタイミングポイントが予め記憶されていると共に、計時中の前記照射残り時間がいずれか１つの前記タイミングポイントと一致すると、前記表示モジュールの前記表示制御装置に前記一致するタイミングポイントに対応するカウントダウン信号を送信し、前記表示制御装置は前記カウントダウン信号を受信すると、前記カウントダウン信号に対応して前記発光部が発する光の明るさを切替えるように配置構成されていることを特徴とする請求項１又は２に記載の紫外線硬化材料硬化装置。
【請求項４】
前記タイマーは、前記複数の照射時間における最大の一つより小である複数の異なるタイミングポイントが予め記憶されていると共に、計時中の前記照射残り時間がいずれか１つの前記タイミングポイントと一致すると、前記表示モジュールの前記表示制御装置に前記一致するタイミングポイントに対応するカウントダウン信号を送信し、前記表示制御装置は前記カウントダウン信号を受信すると、前記カウントダウン信号に対応して前記発光部が発する光の色相を切替えるように配置構成されていることを特徴とする請求項１〜３のいずれか１項に記載の紫外線硬化材料硬化装置。
【請求項５】
前記表示モジュールは、複数の前記導光部と複数の前記発光部を有するように構成されており、前記タイマーは、前記複数の照射時間における最大の一つより小である複数の異なるタイミングポイントが予め記憶されていると共に、計時中の前記照射残り時間がいずれか１つの前記タイミングポイントと一致すると、前記表示モジュールの前記表示制御装置に前記一致するタイミングポイントに対応するカウントダウン信号を送信し、前記表示制御装置は前記カウントダウン信号を受信すると、前記カウントダウン信号に対応して発光する前記発光部の数量を切替えるように配置構成されていることを特徴とする請求項１〜４のいずれか１項に記載の紫外線硬化材料硬化装置。
【考案の詳細な説明】
【技術分野】
【０００１】
本考案は紫外線硬化材料硬化装置に関し、具体的にはジェルネイルを硬化するために使用する紫外線硬化材料硬化装置に関する。
【背景技術】
【０００２】
近年ネイルアートにおいては、ジェルネイルなどの紫外線硬化材料を用いるものが広く利用されている。このような紫外線硬化材料を硬化させるためには、爪に紫外線を照射する装置が必要となる。
【０００３】
従来の紫外線硬化材料硬化装置として、指が進入可能な開口部を前面に有する器体の内部に前記開口部と連通する照射空間を形成したものが知られている。前記照射空間の底部の上方には、紫外線硬化材料を硬化させることが可能な紫外線を底部に向けて発する紫外線光源が設けられている。
【考案の概要】
【考案が解決しようとする課題】
【０００４】
しかしながら、従来の紫外線硬化材料硬化装置には、照射時間や装置の状態などを示す表示手段がないので、紫外線硬化材料硬化装置の詳しい作動状態、例えば待機中か否か、何分間照射されたか、などの状態が分からない。従って、使用者が細かく確認しないと、紫外線硬化材料硬化装置の照射経過時間や、装置の状態などを直ぐに把握できないので、極めて不便である。
【０００５】
上記問題点に鑑みて、本考案は、使用者が紫外線硬化材料硬化装置の作動状態を直ぐに把握できる紫外線硬化材料硬化装置の提供を目的とする。
【課題を解決するための手段】
【０００６】
上記目的を達成すべく、本考案は、第１の方向に向かって開けられている開口を有するように略皿状に形成され、前記開口の内側に照射空間が画成されているハウジング本体部と、前記ハウジング本体部の前記開口の内側に配置されていると共に、前記照射空間に面する光反射面を有するように配置構成されている光反射手段と、を有するように構成されているハウジングと、前記照射空間内に配置される照射対象に向かって紫外線を放射することができるように前記光反射手段に設置されている紫外線照射部と、前記紫外線照射部のＯＮ／ＯＦＦを制御できるように構成されている紫外線照射制御スイッチと、前記ハウジング本体部の前記照射空間の反対側にある外表面に露出し、それぞれ異なる複数の照射時間に対応する制御状態が使用者により切り替えることができ、且つ前記制御状態に対応する状態信号を出力することができるように配置構成されているタイマーと、前記ハウジングに設置されているセンサーを有し、照射対象が前記照射空間に進入したことを前記センサーが感知すると、前記紫外線照射制御スイッチと前記タイマーとに電気を流して起動させるように構成されている電気スイッチと、を有するように構成され、前記ハウジングに設置されている紫外線照射モジュールと、を具えている紫外線硬化材料硬化装置であって、複数の色相の光を発することができるように構成されている発光部と、前記発光部が発する光を前記ハウジングの外側へ案内できるように、前記ハウジング本体部に配置構成されている導光部と、複数の異なるタイミングポイントが予め記憶されていると共に、前記タイマーと前記発光部と前記電気スイッチとに電気的に接続し、前記タイマーからの前記状態信号に応じて前記発光部が前記状態信号に対応する異なる色相の光を発するように前記発光部を制御する表示制御装置と、を有するように構成されている表示モジュールを更に具えており、前記タイマーは、各前記照射時間にそれぞれ対応する複数の時間設定ボタンを有し、いずれか１つの前記時間設定ボタンが押されると、照射信号を前記紫外線照射制御スイッチに、また、前記押された時間設定ボタンが対応する前記照射時間に対応する前記状態信号を前記表示制御装置に送信すると共に、前記照射時間を照射残り時間と設定してから前記照射残り時間計時を始め、前記照射残り時間が満了すると、前記紫外線照射制御スイッチに停止信号を送信するように構成され、前記紫外線照射制御スイッチは、前記タイマーから前記照射信号を受信すると、前記紫外線照射部に紫外線を照射させ、前記停止信号を受信すると、前記紫外線照射部に紫外線の照射を停止させるように構成されていることを特徴とする紫外線硬化材料硬化装置を提供する。
【考案の効果】
【０００７】
上記構成により、本考案の紫外線硬化材料硬化装置は、表示モジュールがタイマーからの状態信号及び初期信号に応じて表示パターンを変えるので、使用者が表示モジュールを見ると、直ちに紫外線硬化材料硬化装置の設定された照射時間または状態を把握できる。
【図面の簡単な説明】
【０００８】
【図１】本考案の紫外線硬化材料硬化装置の第１の実施形態の正面からの斜視図である。
【図２】上記実施形態の紫外線硬化材料硬化装置の背面からの斜視図である。
【図３】上記実施形態の紫外線硬化材料硬化装置の分解図である。
【図４】上記実施形態の紫外線硬化材料硬化装置の断面図である。
【図５】上記実施形態の紫外線硬化材料硬化装置の紫外線照射モジュールを示すブロック図である。
【図６】本考案の紫外線硬化材料硬化装置の第２の実施形態の分解図である。
【考案を実施するための形態】
【０００９】
以下では各図面を参照しながら、本考案の各好ましい実施形態について詳しく説明する。
【００１０】
＜第１の実施形態＞
図１は本考案の紫外線硬化材料硬化装置の第１の実施形態の正面からの斜視図であり、図３は上記実施形態の紫外線硬化材料硬化装置の分解図である。
本発明の紫外線硬化材料硬化装置は、図１及び図３に示されるように、ハウジング３と、ハウジング３に設置されている紫外線照射モジュール４と、表示モジュール５と、を有して、照射対象、例えば指の爪に塗られているジェルネイル用ジェルなどに対して紫外線を照射して硬化させるために構成されている。
【００１１】
ハウジング３は、図３に示されるように第１の方向Ｌ１に向かって開けられている開口３０を有するように略皿状に形成され、開口３０の内側に照射空間３００が画成されているハウジング本体部３２と、ハウジング本体部３２の開口３０の内側に配置されていると共に、照射空間３００に面する光反射面３３１を有するように配置構成されている光反射手段３３と、開口３０を覆うようにハウジング本体部３２に取り付けられていると共に、光反射手段３３の光反射面３３１に面して照射対象を支持することができる支持面３１０を有するように構成されている置き台３１と、置き台３１とハウジング本体部３２とを取り外し可能に接続させる複数の磁力接続手段３４と、を有するように構成されている。
【００１２】
ハウジング本体部３２は、図１及び図３に示されるように第１の方向Ｌ１において開口３０の反対側に配置されている上端板３２１と、上端板３２１の周縁から開口３０側へ延伸する周壁３２２とを有することにより略皿状に形成されていると共に、周壁３２２の開口３０に臨む端縁には凹陥部が形成され、この凹陥部の形成により、第１の方向Ｌ１と略直交する第２の方向Ｌ２に沿って外部から照射空間３００に進入することができる進入口３０１が画成されている。
【００１３】
置き台３１の支持面３１０には、図３に示されるように照射対象を所定の支持位置３１１に定位することができるように、支持位置３１１を囲むガイド部３１３が支持位置３１１の周縁から突起するように形成されている。また、支持面３１０における支持位置３１１以外の部分には、光線を光反射手段３３へ反射できる光反射部３１２が設置されている。この実施形態において、置き台３１の支持面３１０におけるガイド部３１３は、支持位置３１１が手の平の形状に対応するように突起して形成されているが、足の裏の形状に対応するように突起して形成されることもできる。
【００１４】
図４は第1の実施形態の紫外線硬化材料硬化装置の断面図であり、図５は第１の実施形態の紫外線硬化材料硬化装置の紫外線照射モジュールを示すブロック図である。
紫外線照射モジュール４は、図３及び図５に示されるように紫外線照射部４１と、紫外線照射制御スイッチ４２と、電気スイッチ４３と、タイマー４４と、を有するように構成されている。
【００１５】
紫外線照射部４１は、図３及び図４に示されるように照射空間３００内に配置される照射対象に向かって紫外線を放射することができるように光反射手段３３に設置されている。紫外線照射部４１としては例えば発光ダイオードを用いることができる。
紫外線照射制御スイッチ４２は、図５に示されるように紫外線照射部４１のＯＮ／ＯＦＦを制御できるように構成されている。
【００１６】
図２は第１の実施形態の紫外線硬化材料硬化装置の背面からの斜視図である。
タイマー４４は、図２に示されるようにハウジング本体部３２の照射空間３００の反対側にある外表面に露出し、それぞれ異なる複数の照射時間に対応する制御状態が使用者により切り替えることができ、各前記照射時間にそれぞれ対応する複数の時間設定ボタン４４１を有すると共に、且つ前記制御状態に対応する状態信号を出力することができるように配置構成されている。
【００１７】
電気スイッチ４３は、ハウジング３に設置されているセンサー４３１を有し、センサー４３１が照射対象が照射空間３００に進入したことを感知すると、紫外線照射制御スイッチ４２とタイマー４４と表示モジュール５とに電気を流して起動させるように構成されている。
この実施形態において、紫外線照射モジュール５は、電源に接続する電源端子４５を更に有している。
【００１８】
また、センサー４３１は、ハウジング３の光反射手段３３に設置され、図５に示されるように光線を支持位置３１１に向かって投光する投光部４３３と、投光部４３３から投光された光線が支持面３１０側から反射されてきたか否かを感知することができる感光部４３２と、を有している反射型光センサーである。置き台３１の支持面３１０における支持位置３１１の進入口３０１寄りの一部には、センサー４３１の投光部４３３が投光してきた光線を感光部４３２へ反射しないように構成されている感知防止部３５が設置されている。これにより、電気スイッチ４３は、照射空間３００に照射対象が進入していない時には感知防止部３５により投光部４３３の投光が反射されず感光部４３２が反射を受けないので、紫外線照射制御スイッチ４２とタイマー４４とを起動せず、一方、照射空間３００に照射対象が進入した時には投光部４３３の投光が照射対象により反射されてその反射光を感光部４３２が受けるので、紫外線照射制御スイッチ４２とタイマー４４とを起動させるようにすることができる。
【００１９】
この場合、センサー４３１の設置位置は、この実施形態に限定せず、例えば、ハウジング３の置き台３１の支持位置３１１に設置されている上、センサー４３１に電気的に接続されて置き台３１に設置されている第１の端子（図示せず）と、ハウジング本体部３２に設置され、置き台３１とハウジング本体部３２とが磁力接続手段３４により接続される際、前記第１の端子に電気的に接続されている第２の端子(図示せず)と、を更に設置すれば、前記第１の端子を支持位置３１１における指先に対応する位置に設置すると、使用者の指先が上記対応する位置から外れただけで、手を進入口３０１から抜き出さなくても、紫外線照射モジュール５の作動を停止することができる。
なお、電気スイッチ４３としては、照射対象に接触されている間に、紫外線照射制御スイッチ４２とタイマー４４とに電気を流して起動するように構成されているタッチスイッチを用いることもできる。
【００２０】
表示モジュール５は、図１、図２及び図５に示されるように複数の色相の光を発することができるように構成されている発光部５２と、発光部５２が発する光をハウジング３の外側へ案内できるように、ハウジング本体部３２に配置構成されている導光部５１と、タイマー４４と発光部５２と電気スイッチ４３１とに電気的に接続し、タイマー４４からの前記状態信号に応じて発光部５２が前記状態信号に対応する異なる色相の光を発するように発光部５２を制御する表示制御装置５３と、を有するように構成されている。
【００２１】
この実施形態において、導光部５１は、湾曲の長尺状に形成され、外部へ露出するようにハウジング本体部３２に設置されている。発光部５２は２つ有り、それぞれが導光部５１の両端に設置されている。タイマー４４と紫外線照射制御スイッチ４２と表示制御装置５３とは、１つの回路基板６００（図４参照）に設置されている。電気スイッチ４３は、照射対象が照射空間３００に進入したことをセンサー４３１が感知すると、表示モジュール５の表示制御装置５３に初期信号を送信するように構成され、表示制御装置５３は、前記初期信号を受信すると、発光部５２に前記初期信号に対応する所定の色相の光を発して、待機状態になっていることを示すように構成されている。
【００２２】
タイマー４４は、いずれか１つの時間設定ボタン４４１が押されると、照射信号を紫外線照射制御スイッチ４２に、また、押された時間設定ボタン４４１が対応する前記照射時間に対応する状態信号を表示制御装置５３にそれぞれ送信すると共に、前記照射時間を照射残り時間と設定してから前記照射残り時間の計時を始め、前記照射残り時間が満了する（例えばゼロまでカウントダウンされる）と、紫外線照射制御スイッチ４２に停止信号を送信するように構成されている。
【００２３】
紫外線照射制御スイッチ４２は、タイマー４４から前記照射信号を受信すると、紫外線照射部４１に紫外線を照射させ、前記停止信号を受信すると、紫外線照射部４１に紫外線の照射を停止させるように構成されている。
この実施形態において、タイマー４４は、３つの照射時間にそれぞれ対応する３つの時間設定ボタン４４１を有している。表示モジュール５の発光部５２は、その３つの照射時間に対応する状態信号及び待機状態に対応する前記初期信号に応じて、４つの色相を発することができるように構成されている。
【００２４】
本考案の第１の実施形態の紫外線硬化材料硬化装置を使用する際に、使用者が紫外線硬化材料を爪に塗布した手を進入口３０１を通して照射空間３００に進入させると、電気スイッチ４３のセンサー４３１の投光部４３３から投光された光線が使用者の手により反射され、その反射された光線をセンサー４３１の感光部４３２が感知すると、電気スイッチ４３は、紫外線照射制御スイッチ４２とタイマー４４とに電気を流して起動させる。同時に、電気スイッチ４３は、表示モジュール５の表示制御装置５３に前記初期信号を送信し、前記初期信号を受信した表示制御装置５３は、発光部５２に前記初期信号に対応する所定の色相の光を発することにより、紫外線硬化材料硬化装置が待機状態になっていることを示す。
【００２５】
そして、タイマー４４が有するいずれかの時間設定ボタン４４１が押されると、照射信号を紫外線照射制御スイッチ４２に、また、押された時間設定ボタン４４１が対応する照射時間に対応する状態信号を表示制御装置５３にそれぞれ送信し、紫外線照射制御スイッチ４２が紫外線照射部４１に紫外線を照射させ、且つ、タイマー４４が発光部５２に前記状態信号に対応する所定の色相の光を発させると共に、タイマー４４が前記照射時間を照射残り時間と設定してから前記照射残り時間の計時を始める。
照射された紫外線は、光反射手段３３の光反射面３３１と置き台３１の光反射部３１２とにより照射空間３００に均一に分散するように反射され、紫外線硬化材料を均一に硬化する。
【００２６】
なお、使用の際には、置き台３１をハウジング本体部３２から外して、手又は足をハウジング本体部３２の進入口３０１を通して照射空間３００に進入させることもできる。
前記照射残り時間のカウントダウンが満了すると、タイマー４４が紫外線照射制御スイッチ４２に停止信号を送信して、紫外線照射制御スイッチ４２が紫外線照射部４１に紫外線の照射を停止させる。硬化した後または途中でも、使用者が手を進入口３０１から抜き出すと、センサー４が手が抜き出されたことを感知して、紫外線照射モジュール５の作動を停止させる。
【００２７】
また、タイマー４４は、前記複数の照射時間における最大の一つより小である複数の異なるタイミングポイントが予め記憶されていると共に、カウントダウン中の前記照射残り時間がいずれか１つの前記タイミングポイントと一致すると、表示モジュール５の表示制御装置５３に前記一致するタイミングポイントに対応するカウントダウン信号を送信し、表示制御装置５３は前記カウントダウン信号を受信すると、前記カウントダウン信号に対応して、発光部５２が発する光の明るさや、発光部５２が発する光の色相などを切替えるように配置構成されることができる。例えば、照射残り時間に連れて発光部５２が発する光の明るさが漸次変化するように構成すれば、使用者は照射残り時間を把握しやすくなる。
【００２８】
更に、表示モジュール５は、複数の導光部５１と複数の発光部５２を有するように構成されることができ、タイマー４４は、前記複数の照射時間における最大の一つより小である複数の異なるタイミングポイントが予め記憶されていると共に、カウントダウン中の前記照射残り時間がいずれか１つの前記タイミングポイントと一致すると、表示モジュール５の表示制御装置５３に前記一致するタイミングポイントに対応するカウントダウン信号を送信し、表示制御装置５３は前記カウントダウン信号を受信すると、前記カウントダウン信号に対応して発光する発光部５２の数量を切替えるように配置構成されることもできる。
【００２９】
上記の構成によれば、表示モジュール５の発光部５２は、その３つの照射時間に対応する状態信号及び待機状態に対応する前記初期信号に応じて、４つの色相を発することができるように構成されているので、使用者が表示モジュール５を見ると、発光部５２の光の色相によって、紫外線硬化材料硬化装置は現在どの設定された照射時間で作動しているか、待機状態になっているか、を把握できる。また、表示モジュール５は、タイマー４４からのカウントダウン信号により表示パターンを変えるので、使用者が表示モジュール５を見ると、表示モジュール５の表示パターンによって、直ちに紫外線硬化材料硬化装置の照射経過時間を把握できる。
【００３０】
＜第２の実施形態＞
図６は本考案の紫外線硬化材料硬化装置の第２の実施形態の分解図である。本考案の第２の実施形態は、第１の実施形態とほぼ同じ構成を有するので、ここでは詳しい説明を省略し、その相違点のみを説明する。
この実施形態において、センサー４３１は、図６に示されるように感光部４３２と、投光部４３３と、がハウジング３の光反射手段３３の置き台３１に望む且つ両側の端部それぞれに設置されている遮断型光センサーである。
【００３１】
投光部４３３は、光線が支持位置３１１の上方を通過すると共に直接に感光部４３２に向かって投光できるように設置されている。
感光部４３２は、投光部４３３から投光する光線が遮断されたか否かを感知することができるように構成されている。
【００３２】
本考案の第２の実施形態の紫外線硬化材料硬化装置を使用する際に、使用者が紫外線硬化材料を爪に塗布した手を進入口３０１を通して支持位置３１１に位置すると、電気スイッチ４３のセンサー４３１の投光部４３３から投光された光線が使用者の手により遮断され、センサー４３１の感光部４３２がこれを感知して、紫外線照射制御スイッチ４２とタイマー４４とに電気を流して起動させる。
【００３３】
なお、第１の実施形態と同様に、センサー４３１の設置位置は、この実施形態に限定せず、例えば、ハウジング３の置き台３１の支持位置３１１に設置されている上、センサー４３１に電気的に接続されて置き台３１に設置されている第１の端子（図示せず）と、ハウジング本体部３２に設置され、置き台３１とハウジング本体部３２とが磁力接続手段３４により接続される際、前記第１の端子に電気的に接続されている第２の端子(図示せず)と、を更に設置すれば、感光部４３２と投光部４３３とをそれぞれ、光反射手段３３と置き台３１とに設置することもできる。
【００３４】
上述のように本考案の紫外線硬化材料硬化装置は、紫外線硬化材料を硬化することができ、ネイルアートにおいて紫外線硬化材料で構成するジェルを硬化することに特に好適である。また、表示モジュールにより、使用者が直ちに紫外線硬化材料硬化装置の状態を把握できるので、使用者に対して特に便利である。
【符号の説明】
【００３５】
３  ハウジング
４  紫外線照射モジュール
５  表示モジュール
Ｌ１  第１の方向
Ｌ２  第２の方向
３０  開口
３００  照射空間
３０１  進入口
３１  置き台
３１０  支持面
３１１  支持位置
３１２  光反射部
３１３  ガイド部
３２  ハウジング本体部
３２１  上端板
３２２  周壁
３３  光反射手段
３３１  光反射面
３４  磁力接続手段
４１  紫外線照射部
４２  紫外線照射制御スイッチ
４３  電気スイッチ
４３１  センサー
４３２  感光部
４３３  投光部
４４  タイマー
４４１  時間設定ボタン
４５  電源端子
５１  導光部
５２  発光部
５３  表示制御装置
【図１】
0003206472.tif 000003
【図２】
0003206472.tif 000004
【図３】
0003206472.tif 000005
【図４】
0003206472.tif 000006
【図５】
0003206472.tif 000007
【図６】
0003206472.tif 000008